(57)【要約】【課題】フレーム周波数を低下させる際に、表示部に表示される画像の表示品位が過度に低下するのを防止する。【解決手段】表示装置１は、ゲート信号線Ｇ１−Ｇｎと、ソース信号線Ｓ１−Ｓｍと、複数の画素とを有する表示部１２と、ゲート信号を出力するゲート駆動部１３と、ソース信号を出力するソース駆動部１４と、フレーム周波数で画像を表示部１２に表示する制御部１１とを備える。制御部１１は、画像が動画の場合はフレーム周波数を第１フレーム周波数Ｆ１とし、画像が静止画の場合はフレーム周波数を第１フレーム周波数Ｆ１より低い第２フレーム周波数Ｆ２とする。ゲート駆動部１３は、フレーム周波数が、第１フレーム周波数Ｆ１の場合、ゲート信号線に対し第２方向の並び順にゲート信号を出力し、第２フレーム周波数Ｆ２の場合、ゲート信号線に対し並び順と異なる順にゲート信号を出力する。【選択図】図１
2014153531.tif 000002
【特許請求の範囲】
【請求項１】
第１方向に延び、前記第１方向に交差する第２方向に並んで設けられた複数のゲート信号線と、前記第２方向に延び、前記第１方向に並んで設けられた複数のソース信号線と、前記複数のソース信号線及び前記複数のゲート信号線にそれぞれ接続された複数の画素と、を有し、画像をフレーム周波数でフレームごとに表示する表示部と、
前記複数のゲート信号線に対し順にゲート信号を出力するゲート駆動部と、
前記ゲート信号が出力された前記ゲート信号線に接続された前記画素に対し、前記ソース信号線を介して前記画像を表示するためのソース信号を出力するソース駆動部と、
前記ゲート駆動部及び前記ソース駆動部を制御して、前記フレーム周波数でフレームごとに前記画像を前記表示部に表示する制御部と、
を備え、
前記制御部は、前記画像が動画の場合は前記フレーム周波数を第１フレーム周波数Ｆ１とし、前記画像が静止画の場合は前記フレーム周波数を前記第１フレーム周波数Ｆ１より低い第２フレーム周波数Ｆ２とし、
前記ゲート駆動部は、前記フレーム周波数が前記第１フレーム周波数Ｆ１の場合、前記複数のゲート信号線に対し前記第２方向の並び順に前記ゲート信号を出力し、前記フレーム周波数が前記第２フレーム周波数Ｆ２の場合、前記複数のゲート信号線に対し前記並び順と異なる順に前記ゲート信号を出力することを特徴とする表示装置。
【請求項２】
前記複数のゲート信号線は、前記並び順にＫ本（Ｋは２以上の整数）のゲート信号線をそれぞれ含む複数のゲート群に仮想的に分けられ、
前記ゲート駆動部は、前記フレーム周波数が前記第２フレーム周波数Ｆ２の場合、前記各ゲート群に含まれる前記Ｋ本のゲート信号線からそれぞれ１本の前記ゲート信号線を選択し、該選択した前記ゲート信号線に前記ゲート信号を順に出力するゲート選択出力動作をＫ回繰り返すことにより、１フレーム期間に前記複数のゲート信号線のすべてに前記ゲート信号を出力し、
前記制御部は、前記ゲート選択出力動作に対応して前記ソース駆動部を制御することにより、前記静止画を前記第２フレーム周波数Ｆ２でフレームごとに前記表示部に表示することを特徴とする請求項１記載の表示装置。
【請求項３】
前記ゲート駆動部は、前記ゲート選択出力動作において前記各ゲート群に含まれる前記Ｋ本のゲート信号線からそれぞれ１本の前記ゲート信号線を選択する際に、前記Ｋ本のゲート信号線の前記並び順に、１本の前記ゲート信号線を選択することを特徴とする請求項２記載の表示装置。
【請求項４】
前記ゲート駆動部は、前記ゲート選択出力動作において前記各ゲート群に含まれる前記Ｋ本のゲート信号線からそれぞれ１本の前記ゲート信号線を選択する際に、前記Ｋ本のゲート信号線の前記並び順と異なる順に、１本の前記ゲート信号線を選択することを特徴とする請求項２記載の表示装置。
【請求項５】
前記ゲート駆動部は、前記ゲート選択出力動作において前記各ゲート群に含まれる前記Ｋ本のゲート信号線からそれぞれ１本の前記ゲート信号線を選択する際に、前記Ｋ本のゲート信号線のうち半分以上の前記ゲート信号線を前記並び順と異なる順に選択することを特徴とする請求項４記載の表示装置。
【請求項６】
Ｋは４以上の整数であり、
前記ゲート駆動部は、前記ゲート選択出力動作において前記各ゲート群に含まれる前記Ｋ本のゲート信号線からそれぞれ１本の前記ゲート信号線を選択する際に、１回目の前記ゲート選択出力動作では、前記並び順の１番目の前記ゲート信号線を選択し、Ｋ回目の前記ゲート選択出力動作では、前記並び順のＫ番目の前記ゲート信号線を選択し、２回目から（Ｋ−１）回目までの前記ゲート選択出力動作では、前記並び順と異なる順に前記ゲート信号線を選択することを特徴とする請求項５記載の表示装置。
【請求項７】
Ｆ２／Ｆ１＝１／Ｋであり、
前記制御部は、前記ゲート選択出力動作ごとにサブ画像を生成し、生成した前記サブ画像を前記表示部に表示する第１サブ画像動作を前記第１フレーム周波数Ｆ１でＫ回繰り返すことにより、前記静止画を前記第２フレーム周波数Ｆ２でフレームごとに前記表示部に表示することを特徴とする請求項１〜６のいずれか１項に記載の表示装置。
【請求項８】
前記制御部は、前記画像が前記動画から前記静止画に切り替えられたことにより前記フレーム周波数を前記第１フレーム周波数Ｆ１から前記第２フレーム周波数Ｆ２に切り替える際には、前記フレーム周波数を一旦前記第１フレーム周波数Ｆ１から中間フレーム周波数Ｆ３（Ｆ１＞Ｆ３＞Ｆ２）に切り替えた後、さらに前記中間フレーム周波数Ｆ３から前記第２フレーム周波数Ｆ２に切り替えることを特徴とする請求項１〜７のいずれか１項に記載の表示装置。
【請求項９】
Ｋは３以上の整数であり、
前記複数のゲート信号線は、前記並び順にＬ本（Ｌは２以上かつＫ未満の整数）のゲート信号線をそれぞれ含む複数の中間ゲート群に仮想的に分けられ、
前記ゲート駆動部は、前記フレーム周波数が前記中間フレーム周波数Ｆ３の場合、前記各中間ゲート群に含まれる前記Ｌ本の前記ゲート信号線からそれぞれ１本の前記ゲート信号線を選択し、該選択した前記ゲート信号線に前記ゲート信号を順に出力する中間選択出力動作をＬ回繰り返すことにより、１フレーム期間に前記複数のゲート信号線のすべてに前記ゲート信号を出力し、
前記制御部は、前記中間選択出力動作に対応して前記ソース駆動部を制御することにより、前記静止画を前記中間フレーム周波数Ｆ３でフレームごとに前記表示部に表示することを特徴とする請求項８記載の表示装置。
【請求項１０】
Ｆ３／Ｆ１＝１／Ｌであり、
前記制御部は、前記中間選択出力動作ごとにサブ画像を生成し、生成した前記サブ画像を前記表示部に表示する第２サブ画像動作を前記第１フレーム周波数Ｆ１でＬ回繰り返すことにより、前記静止画を前記中間フレーム周波数Ｆ３でフレームごとに前記表示部に表示することを特徴とする請求項９記載の表示装置。
【請求項１１】
画像信号を保存する記憶部をさらに備え、
前記制御部は、外部から入力される入力画像信号が前記静止画を表す静止画信号の場合は、前記静止画信号を前記記憶部に保存し、前記記憶部に保存された前記静止画信号を読み出し、該読み出した前記静止画信号に基づき、前記静止画を前記第２フレーム周波数Ｆ２でフレームごとに前記表示部に表示することを特徴とする請求項１〜１０のいずれか１項に記載の表示装置。
【請求項１２】
前記表示部を背面側から照明するバックライト部をさらに備え、
前記制御部は、さらに、前記バックライト部の点灯及び消灯を制御し、
前記表示部が有する前記画素は液晶を含み、
前記制御部は、前記フレーム周波数に関わらず前記第１フレーム周波数Ｆ１と同じ周波数で、前記バックライト部の点灯及び消灯を繰り返させることを特徴とする請求項１〜１１のいずれか１項に記載の表示装置。
【発明の詳細な説明】
【技術分野】
【０００１】
本発明は、フレーム画像を表示する表示部を備える表示装置に関するものである。
【背景技術】
【０００２】
コンピュータやその他の情報機器の高精細度カラーモニター、あるいはテレビジョン受像機といった表示装置として、例えば液晶表示装置などの表示装置が使用される。液晶表示装置は、基本的には、少なくとも一方が透明なガラス等からなる２枚の基板の間に、液晶を挟持した表示部を有する。そして、液晶表示装置は、この表示部の基板に形成された画素電極に選択的に電圧を印加する駆動部を備える。この駆動部による電圧印加によって、各画素電極の画素が制御される。
【０００３】
表示部は、一般に、複数のゲート信号線、複数のソース信号線及び複数の画素電極を備える。複数のゲート信号線は、それぞれ例えば横方向（主走査方向）に延びており、縦方向（副走査方向）に並んで設けられている。複数のソース信号線は、それぞれ例えば縦方向（副走査方向）に延びており、横方向（主走査方向）に並んで設けられている。複数のゲート信号線及び複数のソース信号線の交点に、マトリクス状に複数の薄膜トランジスタ（ＴＦＴ）及び画素電極が配置されている。ゲート駆動部は、ゲート信号線に、ＴＦＴをオンオフするための電圧（ゲート信号）を出力する。ソース駆動部は、ソース信号線に、画素電極に入力画像信号に基づく電圧（ソース信号）を出力して、画素電極に対応して設けられた液晶の透過率を、ソース信号に応じた値に制御する。
【０００４】
表示装置では、例えば外部からの入力画像信号に基づき、表示部に表示するフレーム画像を次々と切り替えて、滑らかな画像を表示部に表示する。フレーム画像を切り替える周波数であるフレーム周波数は、一般に６０Ｈｚが用いられる。従来、入力画像信号が、静止画を表す信号か動画を表す信号かを検出し、検出結果に応じてフレーム周波数を切り替える表示装置が知られている（例えば特許文献１参照）。この特許文献１に記載の装置では、入力画像信号が静止画を表すときは、フレーム周波数を低下させて、画像表示時の消費電力が低減されるようにしている。
【先行技術文献】
【特許文献】
【０００５】
【特許文献１】特開２００３−２８０５７８号公報
【発明の概要】
【発明が解決しようとする課題】
【０００６】
入力画像信号に基づくソース信号は、ゲート信号がオンしている間、画素電極に印加される。そして、ゲート信号がオフになると、理想的には、画素電極に印加された電圧が維持されて、画素の輝度は一定値に保たれる。しかしながら、実際には、画素電極から電圧が漏れて印加電圧が低下するため、ゲート信号がオフの間に画素の輝度は低下する。
【０００７】
図８は、表示画面のゲート信号線に対応する画素を概略的に示す図である。図９は、フレーム周波数が６０Ｈｚの場合の画素の輝度を概略的に示すタイミングチャートである。図１０は、フレーム周波数が１５Ｈｚの場合の画素の輝度を概略的に示すタイミングチャートである。
【０００８】
図８に示される表示画面１２０のゲート信号線Ｇｂに対応する画素Ｐの輝度は、図９、図１０に示されるように、変動する。フレーム周波数が６０Ｈｚの場合には、フレーム周波数が比較的高いため、図９に示されるように、輝度の変動幅は小さくなる。したがって、輝度の変動に起因するフリッカは目立たない。一方、フレーム周波数が１５Ｈｚの場合には、フレーム周波数が低いため、図１０に示されるように、図９の場合に比べて輝度の変動幅は大きくなる。したがって、輝度の変動に起因するフリッカが目立つ。
【０００９】
一般に、表示装置では、複数のゲート信号線に対して、例えば上端のゲート信号線から下端のゲート信号線まで、ゲート信号線の並び順にゲート信号が出力される。このような表示装置において、フレーム周波数を低下させる際には、垂直ブランキング期間を広げる方法と、水平ブランキング期間を設ける方法とがある。
【００１０】
図１１は、垂直ブランキング期間を広げることによりフレーム周波数を低下させた場合のゲート信号及び輝度を概略的に示すタイミングチャートである。図１１において、セクション（Ａ）はゲート信号線Ｇ１−Ｇ１６のゲート信号を示し、セクション（Ｂ）はゲート信号線Ｇ１−Ｇ４の画素の輝度を示し、セクション（Ｃ）はゲート信号線Ｇ９−Ｇ１２の画素の輝度を示す。
【００１１】
図１１のセクション（Ａ）に示されるように、フレーム周波数が６０Ｈｚのときの垂直ブランキング期間Ｖ０をＶ１に広げることにより、フレーム周波数を１５Ｈｚに低下させている。この場合には、図１１のセクション（Ｂ）、（Ｃ）に示されるように、ゲート信号が出力されている期間に、表示画面全体の輝度が上昇し、続く垂直ブランキング期間Ｖ１の間に、表示画面全体の輝度が徐々に低下する。したがって、表示画面全体におけるフリッカが生じる。
【００１２】
図１２は、水平ブランキング期間を設けることによりフレーム周波数を低下させた場合のゲート信号及び輝度を概略的に示すタイミングチャートである。図１２において、セクション（Ａ）はゲート信号線Ｇ１−Ｇ１６のゲート信号を示し、セクション（Ｂ）はゲート信号線Ｇ１−Ｇ４の画素の輝度を示し、セクション（Ｃ）はゲート信号線Ｇ９−Ｇ１０の画素の輝度を示す。
【００１３】
図１２のセクション（Ａ）に示されるように、水平ブランキング期間Ｈ１を設けることによりフレーム周波数を１５Ｈｚに低下させている。この場合には、図１２のセクション（Ｂ）、（Ｃ）に示されるように、ゲート信号線Ｇ１−Ｇ１６の輝度が上から順に等間隔で上昇し、その後、徐々に低下する。したがって、表示画面の上から下に向けて、順に波打つようなフリッカが生じる。
【００１４】
以上のように、フレーム周波数を低下させる場合に、垂直ブランキング期間を広げる方法及び水平ブランキング期間を設ける方法のいずれの方法を用いた場合でも、フリッカが生じて、表示部に表示される画像の表示品位が低下する。
【００１５】
本発明は、上述した課題を解決するためになされたもので、フレーム周波数を低下させる際に、表示部に表示される画像の表示品位が過度に低下するのを防止することが可能な表示装置を提供することを目的とする。
【課題を解決するための手段】
【００１６】
本発明に係る表示装置は、第１方向に延び、前記第１方向に交差する第２方向に並んで設けられた複数のゲート信号線と、前記第２方向に延び、前記第１方向に並んで設けられた複数のソース信号線と、前記複数のソース信号線及び前記複数のゲート信号線にそれぞれ接続された複数の画素と、を有し、画像をフレーム周波数でフレームごとに表示する表示部と、前記複数のゲート信号線に対し順にゲート信号を出力するゲート駆動部と、前記ゲート信号が出力された前記ゲート信号線に接続された前記画素に対し、前記ソース信号線を介して前記画像を表示するためのソース信号を出力するソース駆動部と、前記ゲート駆動部及び前記ソース駆動部を制御して、前記フレーム周波数でフレームごとに前記画像を前記表示部に表示する制御部と、を備え、前記制御部は、前記画像が動画の場合は前記フレーム周波数を第１フレーム周波数Ｆ１とし、前記画像が静止画の場合は前記フレーム周波数を前記第１フレーム周波数Ｆ１より低い第２フレーム周波数Ｆ２とし、前記ゲート駆動部は、前記フレーム周波数が前記第１フレーム周波数Ｆ１の場合、前記複数のゲート信号線に対し前記第２方向の並び順に前記ゲート信号を出力し、前記フレーム周波数が前記第２フレーム周波数Ｆ２の場合、前記複数のゲート信号線に対し前記並び順と異なる順に前記ゲート信号を出力する。
【００１７】
この構成によれば、画像が動画の場合は、フレーム周波数が第１フレーム周波数Ｆ１とされ、画像が静止画の場合は、フレーム周波数が第１フレーム周波数Ｆ１より低い第２フレーム周波数Ｆ２とされる。そして、フレーム周波数が第１フレーム周波数Ｆ１の場合、複数のゲート信号線に対し、第２方向の並び順にゲート信号が出力される。また、フレーム周波数が第２フレーム周波数Ｆ２の場合、複数のゲート信号線に対し、並び順と異なる順にゲート信号が出力される。
【００１８】
ここで、第２フレーム周波数Ｆ２の場合にも、複数のゲート信号線に対し第２方向の並び順にゲート信号を出力すると、フレームごとに、各画素に対して出力されるソース信号の出力間隔が、第１フレーム周波数Ｆ１の場合に比べて増大する。このため、各画素の輝度は、画素からの電圧漏れ等に起因して、次にソース信号が出力されるまでの間に、第１フレーム周波数Ｆ１の場合に比べて低下する。このとき、複数のゲート信号線に対し第２方向の並び順にゲート信号を出力すると、並び順にソース信号が出力される。したがって、表示部の全体において、並び順に画素の輝度が増大するため、フリッカは目立ちやすくなり、表示される画像の品位が低下する。
【００１９】
これに対して、上記の構成では、フレーム周波数が第２フレーム周波数Ｆ２の場合、複数のゲート信号線に対し、並び順と異なる順にゲート信号が出力されるため、並び順と異なる順にソース信号が出力される。したがって、表示部の全体において、並び順と異なる順に画素の輝度が増大するため、フリッカは目立ちにくくなる。その結果、表示される画像の品位が過度に低下するのを防止することができる。
【００２０】
上記表示装置において、前記複数のゲート信号線は、前記並び順にＫ本（Ｋは２以上の整数）のゲート信号線をそれぞれ含む複数のゲート群に仮想的に分けられ、前記ゲート駆動部は、前記フレーム周波数が前記第２フレーム周波数Ｆ２の場合、前記各ゲート群に含まれる前記Ｋ本のゲート信号線からそれぞれ１本の前記ゲート信号線を選択し、該選択した前記ゲート信号線に前記ゲート信号を順に出力するゲート選択出力動作をＫ回繰り返すことにより、１フレーム期間に前記複数のゲート信号線のすべてに前記ゲート信号を出力し、前記制御部は、前記ゲート選択出力動作に対応して前記ソース駆動部を制御することにより、前記静止画を前記第２フレーム周波数Ｆ２でフレームごとに前記表示部に表示するとしてもよい。
【００２１】
この構成によれば、複数のゲート信号線は、並び順にＫ本（Ｋは２以上の整数）のゲート信号線をそれぞれ含む複数のゲート群に仮想的に分けられている。そして、フレーム周波数が第２フレーム周波数Ｆ２の場合、各ゲート群に含まれるＫ本のゲート信号線からそれぞれ１本のゲート信号線を選択し、該選択したゲート信号線にゲート信号を順に出力するゲート選択出力動作がＫ回繰り返されることにより、１フレーム期間に複数のゲート信号線のすべてにゲート信号が出力される。したがって、ゲート選択出力動作がＫ回繰り返されることによって、複数のゲート信号線に対し、容易に、並び順と異なる順にゲート信号を出力することができる。そして、ゲート選択出力動作に対応してソース駆動部が制御されることにより、静止画が第２フレーム周波数Ｆ２でフレームごとに表示部に表示される。このため、静止画の表示品位が過度に低下するのを防止することができる。
【００２２】
上記表示装置において、前記ゲート駆動部は、前記ゲート選択出力動作において前記各ゲート群に含まれる前記Ｋ本のゲート信号線からそれぞれ１本の前記ゲート信号線を選択する際に、前記Ｋ本のゲート信号線の前記並び順に、１本の前記ゲート信号線を選択するとしてもよい。
【００２３】
この構成によれば、ゲート選択出力動作において各ゲート群に含まれるＫ本のゲート信号線からそれぞれ１本のゲート信号線を選択する際に、Ｋ本のゲート信号線の並び順に、１本のゲート信号線が選択される。このため、簡単な制御により、ゲート選択出力動作を行うことができる。
【００２４】
上記表示装置において、前記ゲート駆動部は、前記ゲート選択出力動作において前記各ゲート群に含まれる前記Ｋ本のゲート信号線からそれぞれ１本の前記ゲート信号線を選択する際に、前記Ｋ本のゲート信号線の前記並び順と異なる順に、１本の前記ゲート信号線を選択するとしてもよい。
【００２５】
この構成によれば、ゲート選択出力動作において各ゲート群に含まれるＫ本のゲート信号線からそれぞれ１本のゲート信号線を選択する際に、Ｋ本のゲート信号線の並び順と異なる順に、１本のゲート信号線が選択される。このため、Ｋ本のゲート信号線の並び順に、１本のゲート信号線が選択される場合に比べて、よりランダムな順に、ゲート信号が出力されることとなる。したがって、静止画の表示品位が過度に低下するのを、より効果的に防止することができる。
【００２６】
上記表示装置において、前記ゲート駆動部は、前記ゲート選択出力動作において前記各ゲート群に含まれる前記Ｋ本のゲート信号線からそれぞれ１本の前記ゲート信号線を選択する際に、前記Ｋ本のゲート信号線のうち半分以上の前記ゲート信号線を前記並び順と異なる順に選択するとしてもよい。
【００２７】
この構成によれば、ゲート選択出力動作において各ゲート群に含まれるＫ本のゲート信号線からそれぞれ１本のゲート信号線を選択する際に、Ｋ本のゲート信号線のうち半分以上のゲート信号線が、並び順と異なる順に選択されるため、よりランダムな順に、ゲート信号が出力されることとなる。したがって、静止画の表示品位が過度に低下するのを、より効果的に防止することができる。
【００２８】
上記表示装置において、Ｋは４以上の整数であり、前記ゲート駆動部は、前記ゲート選択出力動作において前記各ゲート群に含まれる前記Ｋ本のゲート信号線からそれぞれ１本の前記ゲート信号線を選択する際に、１回目の前記ゲート選択出力動作では、前記並び順の１番目の前記ゲート信号線を選択し、Ｋ回目の前記ゲート選択出力動作では、前記並び順のＫ番目の前記ゲート信号線を選択し、２回目から（Ｋ−１）回目までの前記ゲート選択出力動作では、前記並び順と異なる順に前記ゲート信号線を選択するとしてもよい。
【００２９】
この構成によれば、ゲート選択出力動作において各ゲート群に含まれるＫ本のゲート信号線からそれぞれ１本のゲート信号線を選択する際に、１回目のゲート選択出力動作では、並び順の１番目のゲート信号線が選択され、Ｋ回目のゲート選択出力動作では、並び順のＫ番目のゲート信号線が選択される。したがって、ゲート群において最初と最後にゲート信号が出力されるゲート信号線は、並び順になる。このため、ゲート選択出力動作の制御が過度に複雑になるのを防止することができる。また、２回目から（Ｋ−１）回目までのゲート選択出力動作では、並び順と異なる順にゲート信号線が選択される。このため、よりランダムな順に、ゲート信号が出力される。その結果、静止画の表示品位が過度に低下するのを、より効果的に防止することができる。
【００３０】
上記表示装置において、Ｆ２／Ｆ１＝１／Ｋであり、前記制御部は、前記ゲート選択出力動作ごとにサブ画像を生成し、生成した前記サブ画像を前記表示部に表示する第１サブ画像動作を前記第１フレーム周波数Ｆ１でＫ回繰り返すことにより、前記静止画を前記第２フレーム周波数Ｆ２でフレームごとに前記表示部に表示するとしてもよい。
【００３１】
この構成によれば、ゲート選択出力動作ごとにサブ画像が生成され、生成されたサブ画像を表示部に表示する第１サブ画像動作が第１フレーム周波数Ｆ１でＫ回繰り返されることにより、静止画が第２フレーム周波数Ｆ２でフレームごとに表示部に表示される。したがって、第２フレーム周波数Ｆ２で静止画を好適に表示することができる。
【００３２】
上記表示装置において、前記制御部は、前記画像が前記動画から前記静止画に切り替えられたことにより前記フレーム周波数を前記第１フレーム周波数Ｆ１から前記第２フレーム周波数Ｆ２に切り替える際には、前記フレーム周波数を一旦前記第１フレーム周波数Ｆ１から中間フレーム周波数Ｆ３（Ｆ１＞Ｆ３＞Ｆ２）に切り替えた後、さらに前記中間フレーム周波数Ｆ３から前記第２フレーム周波数Ｆ２に切り替えるとしてもよい。
【００３３】
この構成によれば、フレーム周波数が第１フレーム周波数Ｆ１から第２フレーム周波数Ｆ２に切り替えられる際には、フレーム周波数は、一旦第１フレーム周波数Ｆ１から中間フレーム周波数Ｆ３（Ｆ１＞Ｆ３＞Ｆ２）に切り替えられた後、さらに中間フレーム周波数Ｆ３から第２フレーム周波数Ｆ２に切り替えられる。したがって、第１フレーム周波数Ｆ１から直接、第２フレーム周波数Ｆ２に切り替えられる場合に比べて、フレーム周波数の切り替え幅が低減される。このため、フレーム周波数の切り替えにより画像の表示品位が過度に低下するのを抑制することができる。
【００３４】
上記表示装置において、Ｋは３以上の整数であり、前記複数のゲート信号線は、前記並び順にＬ本（Ｌは２以上かつＫ未満の整数）のゲート信号線をそれぞれ含む複数の中間ゲート群に仮想的に分けられ、前記ゲート駆動部は、前記フレーム周波数が前記中間フレーム周波数Ｆ３の場合、前記各中間ゲート群に含まれる前記Ｌ本の前記ゲート信号線からそれぞれ１本の前記ゲート信号線を選択し、該選択した前記ゲート信号線に前記ゲート信号を順に出力する中間選択出力動作をＬ回繰り返すことにより、１フレーム期間に前記複数のゲート信号線のすべてに前記ゲート信号を出力し、前記制御部は、前記中間選択出力動作に対応して前記ソース駆動部を制御することにより、前記静止画を前記中間フレーム周波数Ｆ３でフレームごとに前記表示部に表示するとしてもよい。
【００３５】
この構成によれば、複数のゲート信号線は、並び順にＬ本（Ｌは２以上かつＫ未満の整数）のゲート信号線をそれぞれ含む複数の中間ゲート群に仮想的に分けられている。そして、フレーム周波数が中間フレーム周波数Ｆ３の場合、各中間ゲート群に含まれるＬ本のゲート信号線からそれぞれ１本のゲート信号線を選択し、該選択したゲート信号線にゲート信号を順に出力する中間選択出力動作がＬ回繰り返されることにより、１フレーム期間に複数のゲート信号線のすべてにゲート信号が出力される。したがって、中間選択出力動作がＬ回繰り返されることによって、複数のゲート信号線に対し、容易に、並び順と異なる順にゲート信号を出力することができる。そして、中間選択出力動作に対応してソース駆動部が制御されることにより、静止画が中間フレーム周波数Ｆ３でフレームごとに表示部に表示される。したがって、静止画の表示品位が過度に低下するのを抑制することができる。
【００３６】
上記表示装置において、Ｆ３／Ｆ１＝１／Ｌであり、前記制御部は、前記中間選択出力動作ごとにサブ画像を生成し、生成した前記サブ画像を前記表示部に表示する第２サブ画像動作を前記第１フレーム周波数Ｆ１でＬ回繰り返すことにより、前記静止画を前記中間フレーム周波数Ｆ３でフレームごとに前記表示部に表示するとしてもよい。
【００３７】
この構成によれば、中間選択出力動作ごとにサブ画像が生成され、生成されたサブ画像を表示部に表示する第２サブ画像動作が第１フレーム周波数Ｆ１でＬ回繰り返されることにより、静止画が中間フレーム周波数Ｆ３でフレームごとに表示部に表示される。したがって、中間フレーム周波数Ｆ３で静止画を好適に表示することができる。
【００３８】
上記表示装置において、画像信号を保存する記憶部をさらに備え、前記制御部は、外部から入力される入力画像信号が前記静止画を表す静止画信号の場合は、前記静止画信号を前記記憶部に保存し、前記記憶部に保存された前記静止画信号を読み出し、該読み出した前記静止画信号に基づき、前記静止画を前記第２フレーム周波数Ｆ２でフレームごとに前記表示部に表示するとしてもよい。
【００３９】
この構成によれば、外部から入力される入力画像信号が静止画を表す静止画信号の場合は、静止画信号が記憶部に保存される。そして、記憶部に保存された静止画信号が読み出され、該読み出された静止画信号に基づき、静止画が第２フレーム周波数Ｆ２でフレームごとに表示部に表示される。したがって、外部からの入力画像信号の入力が不要になるため、画像表示の制御を簡素化することができる。
【００４０】
上記表示装置において、前記表示部を背面側から照明するバックライト部をさらに備え、前記制御部は、さらに、前記バックライト部の点灯及び消灯を制御し、前記表示部が有する前記画素は液晶を含み、前記制御部は、前記フレーム周波数に関わらず前記第１フレーム周波数Ｆ１と同じ周波数で、前記バックライト部の点灯及び消灯を繰り返させるとしてもよい。
【００４１】
この構成によれば、フレーム周波数に関わらず第１フレーム周波数Ｆ１と同じ周波数で、バックライト部の点灯及び消灯が繰り返される。このため、バックライト部の点灯及び消灯の制御を簡素化することができる。また、表示部に表示される画像の表示品位の低下を抑制することができる。
【発明の効果】
【００４２】
本発明によれば、並び順と異なる順にゲート信号が出力されるため、並び順と異なる順にソース信号が出力されることから、表示部の全体において、並び順と異なる順に画素の輝度が増大するため、フリッカは目立ちにくくなる。その結果、表示される画像の品位が過度に低下するのを防止することができる。
【図面の簡単な説明】
【００４３】
【図１】本発明の一実施形態の表示装置の構成を示すブロック図である。
【図２】図１に示される液晶表示パネルの信号線の接続状態を示す回路図である。
【図３】通常モードにおける動作を概略的に示すタイミングチャートである。
【図４】待機モードにおける動作を概略的に示すタイミングチャートである。
【図５】液晶表示パネルに表示される画像を概略的に示す図である。
【図６】駆動制御部からゲート駆動部に出力されるゲート駆動信号及びゲート駆動部からゲート信号線に出力されるゲート信号を概略的に示すタイミングチャートである。
【図７】信号処理部からソース駆動部に出力される画像制御信号の生成手法を概略的に示す図である。
【図８】表示画面のゲート信号線に対応する画素を概略的に示す図である。
【図９】フレーム周波数が６０Ｈｚの場合の画素の輝度を概略的に示すタイミングチャートである。
【図１０】フレーム周波数が１５Ｈｚの場合の画素の輝度を概略的に示すタイミングチャートである。
【図１１】垂直ブランキング期間を広げることによりフレーム周波数を低下させた場合のゲート信号及び輝度を概略的に示すタイミングチャートである。
【図１２】水平ブランキング期間を広げることによりフレーム周波数を低下させた場合のゲート信号及び輝度を概略的に示すタイミングチャートである。
【発明を実施するための形態】
【００４４】
以下、本発明の実施形態について、図面を参照しながら説明する。なお、以下の実施形態は、本発明を具体化した一例であって、本発明の技術的範囲を限定するものではない。
【００４５】
図１は、本発明の一実施形態の表示装置の構成を示すブロック図である。図２は、図１に示される液晶表示パネルの信号線の接続状態を示す回路図である。
【００４６】
図１に示されるように、表示装置１は、制御部１１と、液晶表示パネル１２と、ゲート駆動部１３と、ソース駆動部１４と、バックライト部１５と、ダイナミックランダムアクセスメモリ（ＤＲＡＭ）１６とを備える。制御部１１は、駆動制御部２１と信号処理部２２とバックライト制御部２３とを備える。
【００４７】
液晶表示パネル１２は、図２に示されるように、複数のソース信号線Ｓ１，Ｓ２，・・・，Ｓｍ、複数のゲート信号線Ｇ１，Ｇ２，・・・，Ｇｎ、複数の薄膜トランジスタＱ及び複数の画素電極Ｒ，Ｇ，Ｂ（つまり赤色の画素電極Ｒ、緑色の画素電極Ｇ及び青色の画素電極Ｂ）を備える。複数のソース信号線Ｓ１，Ｓ２，・・・，Ｓｍは、それぞれ縦方向（副走査方向）に延びており、横方向（主走査方向）に並んで設けられている。複数のゲート信号線Ｇ１，Ｇ２，・・・，Ｇｎは、それぞれ横方向（主走査方向）に延びており、縦方向（副走査方向）に並んで設けられている。複数のソース信号線Ｓ１，Ｓ２，・・・，Ｓｍ及び複数のゲート信号線Ｇ１，Ｇ２，・・・，Ｇｎの交点に、マトリクス状に複数の薄膜トランジスタＱ及び複数の画素電極Ｒ，Ｇ，Ｂが配置されている。
【００４８】
バックライト部１５は、光源を有し、液晶表示パネル１２の背面から液晶表示パネル１２を照明する。バックライト部１５としては、エッジライト方式及び直下型方式のいずれの照明方式を適用してもよい。
【００４９】
制御部１１は、ゲート駆動部１３及びソース駆動部１４を制御して、液晶表示パネル１２のマトリクス状に配置された画素電極Ｒ，Ｇ，Ｂに対して、１フレームごとに、入力画像信号に対応する電圧を１回印加する。つまり、制御部１１は、液晶表示パネル１２のマトリクス状に配置された画素電極Ｒ，Ｇ，Ｂの画素（液晶）に対して１フレームごとに画像データを１回書き込む。
【００５０】
制御部１１には、外部から、入力画像信号及び待機モード信号が入力される。制御部１１に入力される待機モード信号は、入力画像信号が動画を表す信号から静止画を表す信号に切り替えられた場合に、オンにされる。また、制御部１１に入力される待機モード信号は、入力画像信号が静止画を表す信号から動画を表す信号に切り替えられた場合に、オフにされる。制御部１１は、待機モード信号がオンにされると待機モードの制御を行い、待機モード信号がオフにされると通常モードの制御を行う。
【００５１】
制御部１１は、通常モードでは、１フレームの画像生成を第１フレーム周波数Ｆ１（本実施形態では例えばＦ１＝６０Ｈｚ）で繰り返す。これによって、液晶表示パネル１２に表示される動画が視聴者によって視認される。制御部１１は、待機モード信号がオンになると、そのときの入力画像信号（フレーム画像）をＤＲＡＭ１６に保存する。そして、制御部１１は、待機モードでは、ＤＲＡＭ１６に保存されている画像信号を用いて、１フレームの画像生成を第２フレーム周波数Ｆ２（本実施形態では例えばＦ２＝１５Ｈｚ）で繰り返す。これによって、液晶表示パネル１２に表示される静止画が視聴者によって視認される。
【００５２】
駆動制御部２１は、ゲート駆動部１３にゲート駆動信号を出力する。ゲート駆動部１３は、通常モードでは、ゲート駆動信号に基づき、ゲート信号線Ｇ１，Ｇ２，・・・，Ｇｎに対して上から下に向かって並び順に、走査電圧（ゲート信号）を印加して、対応するゲート信号線Ｇ１，Ｇ２，・・・，Ｇｎの薄膜トランジスタＱを順番にオンにする。ゲート駆動部１３は、待機モードでは、ゲート駆動信号に基づき、ゲート信号線Ｇ１，Ｇ２，・・・，Ｇｎに対して並び順と異なる順に、走査電圧（ゲート信号）を印加して、対応するゲート信号線Ｇ１，Ｇ２，・・・，Ｇｎの薄膜トランジスタＱをオンにする。
【００５３】
信号処理部２２は、通常モードでは、入力画像信号に基づき、画像制御信号をソース駆動部１４に出力して、ソース駆動部１４を制御する。ソース駆動部１４は、ゲート駆動部１３により選択されている（つまり薄膜トランジスタＱがオンにされている）ゲート信号線Ｇ１，Ｇ２，・・・，Ｇｎに対応する画素電極Ｒ，Ｇ，Ｂに、ソース信号線Ｓ１，Ｓ２，・・・，Ｓｍを介して、入力画像信号に対応する電圧（ソース信号）を印加する。これによって、入力画像信号に対応する電圧が、画素電極Ｒ，Ｇ，Ｂの画素（液晶）に印加されて、画素電極Ｒ，Ｇ，Ｂの画素（液晶）の透過率が制御される。
【００５４】
通常モードでは、ゲート駆動部１３及びソース駆動部１４により、ゲート信号線Ｇ１，Ｇ２，・・・，Ｇｎに対するソース信号の印加が上から下まで完了することによって、入力画像信号に対応する画像データが１回全画素に対して書き込まれる。全画素に対する画像データの書込みによって、１フレームの画像が生成される。液晶表示パネル１２は、その書き込まれた画像データを次の画像データの書込みまで１フレーム期間、保持するホールド型の表示部である。なお、液晶表示パネル１２としては、ＩＰＳ（Ｉｎ  Ｐｌａｎｅ  Ｓｗｉｔｃｈｉｎｇ）方式、ＶＡ（Ｖｅｒｔｉｃａｌ  Ａｌｉｇｎｍｅｎｔ）方式、その他のいずれの方式を適用してもよい。
【００５５】
バックライト制御部２３は、バックライト部１５の点灯及び消灯を制御する。バックライト制御部２３は、フレーム周波数に関わらず、第１フレーム周波数Ｆ１と同じ周波数で、バックライト部１５の点灯及び消灯を繰り返させる。
【００５６】
図３は、通常モードにおける動作を概略的に示すタイミングチャートである。図３において、セクション（Ａ）は、待機モード信号を示し、セクション（Ｂ）は、ゲート信号の出力タイミングを示し、セクション（Ｃ）は、バックライト部１５の点灯及び消灯を示す。図３では、ゲート信号線の本数ｎ＝１６としている。図１〜図３を用いて、通常モードの動作が説明される。
【００５７】
図３のセクション（Ａ）に示されるように、待機モード信号がオフの場合には、制御部１１は、通常モードの制御を行う。通常モードでは、フレーム周波数が第１フレーム周波数Ｆ１（この実施形態ではＦ１＝６０Ｈｚ）にされる。また、通常モードでは、駆動制御部２１から出力されるゲート駆動信号に基づき、図３のセクション（Ｂ）に示されるように、ゲート信号線Ｇ１−Ｇ１６に対して上から下に向かって並び順に、ゲート信号が出力される。また、バックライト部１５は、バックライト制御部２３の制御により、ゲート信号の出力中は消灯し、ゲート信号の出力後の垂直ブランキング期間Ｖ０の間に点灯する。すなわち、バックライト部１５は、第１フレーム周波数Ｆ１と同じ周波数（つまり６０Ｈｚ）で点灯及び消灯を繰り返す。このように、バックライト部１５は、ゲート信号の出力中は消灯し、ゲート信号の出力終了後、つまり、ソース信号の出力終了後に点灯している。このため、ソース信号の出力中に点灯する場合に比べて、画像の表示品位を向上することができる。
【００５８】
図４は、待機モードにおける動作を概略的に示すタイミングチャートである。図４において、セクション（Ａ）は、ゲート選択出力動作の回数を示し、セクション（Ｂ）は、待機モード信号を示し、セクション（Ｃ）は、ゲート信号の出力タイミングを示し、セクション（Ｄ）は、ゲート信号線Ｇ１−Ｇ４の画素の輝度を示し、セクション（Ｅ）は、バックライト部１５の点灯及び消灯を示す。図４では、ゲート信号線の本数ｎ＝１６としている。図５は、液晶表示パネル１２に表示される画像を概略的に示す図である。図５において、セクション（Ａ）は、サブ画像生成の回数を示し、セクション（Ｂ）は、図４の動作により液晶表示パネル１２に表示される画像を示し、セクション（Ｃ）は、比較例として、図１１の動作により液晶表示パネル１２に表示される画像を示す。図１〜図５を用いて、待機モードの動作が説明される。
【００５９】
図４のセクション（Ｂ）に示されるように、待機モード信号がオンの場合には、制御部１１は、待機モードの制御を行う。待機モードでは、第２フレーム周波数Ｆ２（この実施形態ではＦ２＝１５Ｈｚ）で画像が表示される。このとき、図４に示されるように、ゲート信号線Ｇ１−Ｇ１６に対して、ゲート信号線の並び順と異なる順に、ゲート信号が出力される。
【００６０】
ゲート信号線Ｇ１−Ｇ１６は、ゲート信号線の並び順に、Ｋ本のゲート信号線をそれぞれ含む複数のゲート群に仮想的に分けられている。ゲート駆動部１３は、フレーム周波数が第２フレーム周波数Ｆ２（この実施形態ではＦ２＝１５Ｈｚ）の場合、各ゲート群に含まれるＫ本のゲート信号線からそれぞれ１本のゲート信号線を選択し、該選択したゲート信号線にゲート信号を順に出力するゲート選択出力動作をＫ回繰り返す。ここで、Ｆ１／Ｆ２＝Ｋである。この実施形態では、Ｆ１＝６０Ｈｚ、Ｆ２＝１５Ｈｚであるので、Ｋ＝４である。
【００６１】
図４において、１回目のゲート選択出力動作では、ゲート駆動部１３は、ゲート信号線Ｇ１−Ｇ４を含むゲート群からゲート信号線Ｇ１を選択し、ゲート信号線Ｇ５−Ｇ８を含むゲート群からゲート信号線Ｇ５を選択し、ゲート信号線Ｇ９−Ｇ１２を含むゲート群からゲート信号線Ｇ９を選択し、ゲート信号線Ｇ１３−Ｇ１６を含むゲート群からゲート信号線Ｇ１３を選択する。そして、ゲート駆動部１３は、選択したゲート信号線Ｇ１，Ｇ５，Ｇ９，Ｇ１３にゲート信号を順に出力する。
【００６２】
この１回目のゲート選択出力動作におけるゲート信号線Ｇ１，Ｇ５，Ｇ９，Ｇ１３に対するゲート信号の出力に同期して、ソース駆動部１４は、ソース信号を出力する。これによって、図５のセクション（Ｂ）に示されるように、１回目のサブ画像ＳＩ１が生成される。図４、図５のセクション（Ａ）に示されるように、ゲート選択出力動作に対応してサブ画像生成が行われ、それぞれ周波数６０Ｈｚで実行される。
【００６３】
２回目のゲート選択出力動作では、ゲート駆動部１３は、ゲート信号線Ｇ１−Ｇ４を含むゲート群からゲート信号線Ｇ３を選択し、ゲート信号線Ｇ５−Ｇ８を含むゲート群からゲート信号線Ｇ７を選択し、ゲート信号線Ｇ９−Ｇ１２を含むゲート群からゲート信号線Ｇ１１を選択し、ゲート信号線Ｇ１３−Ｇ１６を含むゲート群からゲート信号線Ｇ１５を選択する。そして、ゲート駆動部１３は、選択したゲート信号線Ｇ３，Ｇ７，Ｇ１１，Ｇ１５にゲート信号を順に出力する。
【００６４】
この２回目のゲート選択出力動作におけるゲート信号線Ｇ３，Ｇ７，Ｇ１１，Ｇ１５に対するゲート信号の出力に同期して、ソース駆動部１４は、ソース信号を出力する。これによって、図５のセクション（Ｂ）に示されるように、２回目のサブ画像ＳＩ２が生成される。
【００６５】
３回目のゲート選択出力動作では、ゲート駆動部１３は、ゲート信号線Ｇ１−Ｇ４を含むゲート群からゲート信号線Ｇ２を選択し、ゲート信号線Ｇ５−Ｇ８を含むゲート群からゲート信号線Ｇ６を選択し、ゲート信号線Ｇ９−Ｇ１２を含むゲート群からゲート信号線Ｇ１０を選択し、ゲート信号線Ｇ１３−Ｇ１６を含むゲート群からゲート信号線Ｇ１４を選択する。そして、ゲート駆動部１３は、選択したゲート信号線Ｇ２，Ｇ６，Ｇ１０，Ｇ１４にゲート信号を順に出力する。
【００６６】
この３回目のゲート選択出力動作におけるゲート信号線Ｇ２，Ｇ６，Ｇ１０，Ｇ１４に対するゲート信号の出力に同期して、ソース駆動部１４は、ソース信号を出力する。これによって、図５のセクション（Ｂ）に示されるように、３回目のサブ画像ＳＩ３が生成される。
【００６７】
４回目のゲート選択出力動作では、ゲート駆動部１３は、ゲート信号線Ｇ１−Ｇ４を含むゲート群からゲート信号線Ｇ４を選択し、ゲート信号線Ｇ５−Ｇ８を含むゲート群からゲート信号線Ｇ８を選択し、ゲート信号線Ｇ９−Ｇ１２を含むゲート群からゲート信号線Ｇ１２を選択し、ゲート信号線Ｇ１３−Ｇ１６を含むゲート群からゲート信号線Ｇ１６を選択する。そして、ゲート駆動部１３は、選択したゲート信号線Ｇ４，Ｇ８，Ｇ１２，Ｇ１６にゲート信号を順に出力する。
【００６８】
この４回目のゲート選択出力動作におけるゲート信号線Ｇ４，Ｇ８，Ｇ１２，Ｇ１６に対するゲート信号の出力に同期して、ソース駆動部１４は、ソース信号を出力する。これによって、図５のセクション（Ｂ）に示されるように、４回目のサブ画像ＳＩ４が生成される。
【００６９】
１回目〜４回目のゲート選択出力動作によって、図４のセクション（Ｃ）に示されるように、１フレーム期間にゲート信号線Ｇ１〜Ｇ１６のすべてにゲート信号が出力される。そして、１回目〜４回目のサブ画像生成動作によって、図５のセクション（Ｂ）に示されるように、第２フレーム周波数Ｆ２（この実施形態ではＦ２＝１５Ｈｚ）の１フレーム期間に、図５のセクション（Ｃ）に示されるフレーム画像と同じ１枚のフレーム画像が生成される。
【００７０】
なお、バックライト部１５は、バックライト制御部２３の制御により、図４のセクション（Ｅ）に示されるように、１回目〜４回目のそれぞれのゲート選択出力動作において、すべてのゲート信号線に対するゲート信号の出力が終了した後に、点灯する。すなわち、１回目のゲート選択出力動作では、バックライト部１５は、ゲート信号線Ｇ１３に対するゲート信号の出力終了に同期して点灯し、期間Ｖ２後の１回目のゲート選択出力動作の期間終了時に消灯する。また、２回目のゲート選択出力動作では、バックライト部１５は、ゲート信号線Ｇ１５に対するゲート信号の出力終了に同期して点灯し、期間Ｖ２後の２回目のゲート選択出力動作の期間終了時に消灯する。
【００７１】
また、３回目のゲート選択出力動作では、バックライト部１５は、ゲート信号線Ｇ１４に対するゲート信号の出力終了に同期して点灯し、期間Ｖ２後の３回目のゲート選択出力動作の期間終了時に消灯する。また、４回目のゲート選択出力動作では、バックライト部１５は、ゲート信号線Ｇ１６に対するゲート信号の出力終了に同期して点灯し、期間Ｖ２後の４回目のゲート選択出力動作の期間終了時に消灯する。このように、バックライト部１５は、待機モードにおいても、第１フレーム周波数Ｆ１と同じ周波数（つまり６０Ｈｚ）で点灯及び消灯を繰り返している。すなわち、バックライト部１５は、各サブ画像ＳＩ１〜ＳＩ４に対応するソース信号の出力終了後に、それぞれ点灯している。このため、ソース信号の出力中に点灯する場合に比べて、各サブ画像ＳＩ１〜ＳＩ４の表示品位の低下を抑制することができる。
【００７２】
図６は、駆動制御部２１からゲート駆動部１３に出力されるゲート駆動信号及びゲート駆動部１３からゲート信号線Ｇ１−Ｇ５に出力されるゲート信号を概略的に示すタイミングチャートである。図１、図４及び図６を用いて、待機モードにおけるゲート信号の出力動作が説明される。
【００７３】
駆動制御部２１は、図６に示されるように、ゲート駆動信号として、ゲートシフトクロック信号、ゲートスタート信号、出力イネーブル信号をゲート駆動部１３に出力する。駆動制御部２１から出力される出力イネーブル信号は、ゲート駆動部１３からゲート信号を出力可能にする信号である。すなわち、出力イネーブル信号がローレベルのときにゲート駆動部１３からゲート信号線にゲート信号が出力される。一方、出力イネーブル信号がハイレベルのときは、ゲート信号がマスクされて、ゲート駆動部１３からゲート信号線にゲート信号が出力されない。
【００７４】
図６において、ゲートシフトクロック信号は１水平期間Ｔ０の周期で出力される。ゲート信号線Ｇ１のゲート信号は、ゲートスタート信号がハイレベルのとき、ゲートシフトクロック信号に同期して、次のゲートシフトクロック信号までの１水平期間Ｔ０の幅でハイレベルとなる。ゲート信号は、図６に破線（ゲート信号線Ｇ２−Ｇ４）及び実線（ゲート信号線Ｇ５）で示されるように、ゲート信号線Ｇ１からゲート信号線Ｇ５に向けて、ゲートシフトクロック信号に同期してシフトする。
【００７５】
図６に示されるように、ゲート信号線Ｇ１，Ｇ５のゲート信号出力タイミングでは、出力イネーブル信号はローレベルにされ、ゲート信号線Ｇ２−Ｇ４のゲート信号出力タイミングでは、出力イネーブル信号はハイレベルにされる。したがって、ゲート信号線Ｇ２−Ｇ４のゲート信号は、出力イネーブル信号によりマスクされて、実際には出力されない。このように、駆動制御部２１は、出力イネーブル信号によって、ゲート駆動部１３からゲート信号線へのゲート信号の出力を制御する。
【００７６】
そして、１回目のゲート選択出力動作では、出力イネーブル信号により、ゲート信号線Ｇ２−Ｇ４，Ｇ６−Ｇ８，Ｇ１０−Ｇ１２，Ｇ１４−Ｇ１６に対するゲート信号の出力がマスクされて、図４のセクション（Ｃ）に示されるように、ゲート信号線Ｇ１，Ｇ５，Ｇ９，Ｇ１３に対するゲート信号のみが出力される。また、２回目のゲート選択出力動作では、出力イネーブル信号により、ゲート信号線Ｇ１，Ｇ２，Ｇ４−Ｇ６，Ｇ８−Ｇ１０，Ｇ１２−Ｇ１４，Ｇ１６に対するゲート信号の出力がマスクされて、図４のセクション（Ｃ）に示されるように、ゲート信号線Ｇ３，Ｇ７，Ｇ１１，Ｇ１５に対するゲート信号のみが出力される。
【００７７】
また、３回目のゲート選択出力動作では、出力イネーブル信号により、ゲート信号線Ｇ１，Ｇ３−Ｇ５，Ｇ７−Ｇ９，Ｇ１１−Ｇ１３，Ｇ１５−Ｇ１６に対するゲート信号の出力がマスクされて、図４のセクション（Ｃ）に示されるように、ゲート信号線Ｇ２，Ｇ６，Ｇ１０，Ｇ１４に対するゲート信号のみが出力される。また、４回目のゲート選択出力動作では、出力イネーブル信号により、ゲート信号線Ｇ１−Ｇ３，Ｇ５−Ｇ７，Ｇ９−Ｇ１１，Ｇ１３−Ｇ１５に対するゲート信号の出力がマスクされて、図４のセクション（Ｃ）に示されるように、ゲート信号線Ｇ４，Ｇ８，Ｇ１２，Ｇ１６に対するゲート信号のみが出力される。
【００７８】
その結果、図４のセクション（Ｄ）に示されるように、ゲート信号線Ｇ１の画素の輝度は、１回目のゲート選択出力動作の開始時に上昇し、その後、徐々に低下する。また、ゲート信号線Ｇ２の画素の輝度は、３回目のゲート選択出力動作の開始時に上昇し、その後、徐々に低下する。また、ゲート信号線Ｇ３の画素の輝度は、２回目のゲート選択出力動作の開始時に上昇し、その後、徐々に低下する。また、ゲート信号線Ｇ４の画素の輝度は、４回目のゲート選択出力動作の開始時に上昇し、その後、徐々に低下する。
【００７９】
この実施形態において、ゲート信号線Ｇ１−Ｇ４の領域の輝度を考えると、太線で示されるゲート信号線Ｇ１−Ｇ４の領域の輝度の包絡線Ｅ１の変動は小さい。このため、ゲート信号線Ｇ１−Ｇ４の領域の輝度変動に起因するフリッカは、目立たない。同様に、ゲート信号線Ｇ５−Ｇ８の領域、ゲート信号線Ｇ９−Ｇ１２の領域、ゲート信号線Ｇ１３−Ｇ１６の領域の輝度変動に起因するフリッカも、目立たない。その結果、表示画面全体において、フリッカが目立たなくなる。
【００８０】
図７は、信号処理部２２からソース駆動部１４に出力される画像制御信号の生成手法を概略的に示す図である。図１、図５、図７を用いて、通常モード及び待機モードの動作がさらに説明される。
【００８１】
図７において、フレームＦＲ１，ＦＲ２において外部から入力される入力画像信号が表す画像ＩＭ１，ＩＭ２が動画であるとする。この場合には、待機モード信号がオフであるため、通常モードで動作している。すなわち、フレームＦＲ１，ＦＲ２において、信号処理部２２は、外部から入力される入力画像信号に基づき画像制御信号を生成し、生成した画像制御信号をソース駆動部１４に出力して、入力画像信号が表す画像ＩＭ１，ＩＭ２を液晶表示パネル１２に表示する。
【００８２】
続くフレームＦＲ３において、外部から入力される入力画像信号が表す画像ＩＭ３が静止画であるとする。信号処理部２２は、フレームＦＲ１，ＦＲ２の場合と同様に、外部からの入力画像信号に基づき画像制御信号を生成し、生成した画像制御信号をソース駆動部１４に出力して、入力画像信号が表す画像ＩＭ３を液晶表示パネル１２に表示する。外部から入力される入力画像信号が表す画像ＩＭ３が静止画であるときは、外部から入力される待機モード信号がオンに切り替えられる。待機モード信号がオンに切り替えられると、信号処理部２２は、画像ＩＭ３を表すデータをＤＲＡＭ１６に書き込む。
【００８３】
続くフレームＦＲ４では、待機モード信号がオンにされており、外部からの入力画像信号の入力は停止される。フレームＦＲ４では、信号処理部２２は、ＤＲＡＭ１６に保存されている画像ＩＭ３を表すデータを読み出し、この読み出したデータに基づき、画像制御信号を生成する。
【００８４】
制御部１１は、上述のように、待機モードでは、第２フレーム周波数Ｆ２（この実施形態ではＦ２＝１５Ｈｚ）で画像を表示する。しかし、通常モードから待機モードへの切り替えの際に、制御部１１は、通常モードでの第１フレーム周波数Ｆ１（この実施形態ではＦ１＝６０Ｈｚ）から直接第２フレーム周波数Ｆ２に変更しない。すなわち、制御部１１は、第１フレーム周波数Ｆ１（この実施形態ではＦ１＝６０Ｈｚ）から、一旦、中間フレーム周波数Ｆ３（この実施形態ではＦ３＝３０Ｈｚ）に移行し、その後、中間フレーム周波数Ｆ３から第２フレーム周波数Ｆ２に移行する。
【００８５】
中間フレーム周波数Ｆ３（この実施形態ではＦ３＝３０Ｈｚ）では、ゲート信号線Ｇ１〜Ｇｍは、Ｌ本のゲート信号線を有する中間ゲート群に仮想的に分けられる。ここで、Ｆ１／Ｆ３＝Ｌである。この実施形態では、Ｆ１＝６０Ｈｚ、Ｆ３＝３０Ｈｚであるので、Ｌ＝２である。
【００８６】
中間フレーム周波数Ｆ３において、１回目のゲート選択出力動作では、例えばゲート信号線Ｇ１，Ｇ３，・・・を選択し、選択したゲート信号線Ｇ１，Ｇ３，・・・に対してゲート信号が出力される。この１回目のゲート選択出力動作に対応して、１回目のサブ画像生成動作が行われ、画像ＩＭ３（１／２）が液晶表示パネル１２に表示される。
【００８７】
続く２回目のゲート選択出力動作では、例えばゲート信号線Ｇ２，Ｇ４，・・・を選択し、選択したゲート信号線Ｇ２，Ｇ４，・・・に対してゲート信号が出力される。この２回目のゲート選択出力動作に対応して、２回目のサブ画像生成動作が行われ、画像ＩＭ３（２／２）が液晶表示パネル１２に表示される。この２回のサブ画像生成動作により、中間フレーム周波数Ｆ３で、画像ＩＭ３が液晶表示パネル１２に表示される。
【００８８】
続くフレームＦＲ５では、フレーム周波数が中間フレーム周波数Ｆ３から第２フレーム周波数Ｆ２に切り替えられる。このフレームＦＲ５では、図４、図５を用いて説明されたように、ゲート選択出力動作及びサブ画像生成動作が実行される。すなわち、１回目のゲート選択出力動作に対応して、１回目のサブ画像生成動作が行われ、画像ＩＭ３（１／４）が液晶表示パネル１２に表示される。
【００８９】
また、２回目のゲート選択出力動作に対応して、２回目のサブ画像生成動作が行われ、画像ＩＭ３（２／４）が液晶表示パネル１２に表示される。また、３回目のゲート選択出力動作に対応して、３回目のサブ画像生成動作が行われ、画像ＩＭ３（３／４）が液晶表示パネル１２に表示される。また、４回目のゲート選択出力動作に対応して、４回目のサブ画像生成動作が行われ、画像ＩＭ４（４／４）が液晶表示パネル１２に表示される。
【００９０】
図７における上述の画像ＩＭ３（１／４）、画像ＩＭ３（２／４）、画像ＩＭ３（３／４）、画像ＩＭ３（４／４）は、それぞれ、図５のセクション（Ｂ）に示されるサブ画像ＳＩ１、ＳＩ２、ＳＩ３、ＳＩ４に対応する。続くフレームＦＲ６では、フレームＦＲ５と同様の動作が行われる。本実施形態において、液晶表示パネル１２は表示部の一例に相当し、ＤＲＡＭ１６は記憶部の一例に相当し、主走査方向は第１方向の一例に相当し、副走査方向は第２方向の一例に相当する。
【００９１】
以上のように、この実施形態によれば、副走査方向におけるゲート信号線の並び順にＫ本（この実施形態ではＫ＝４）ずつ仮想的に分けられた複数のゲート群から、順に、それぞれ１本のゲート信号線が選択されている。このため、ゲート信号線の並び順と異なる順に、ゲート信号が出力される。したがって、Ｋ本のゲート信号線からなる個々のゲート群の領域における画素の輝度の変動幅が低減される。その結果、フレーム周波数が第１フレーム周波数Ｆ１より低い第２フレーム周波数Ｆ２の場合でも、フリッカを目立たなくすることができる。
【００９２】
また、この実施形態では、外部から入力される待機モード信号がオンになると、画像を表すデータがＤＲＡＭ１６に保存され、待機モードでは、外部からの入力画像信号の入力が停止される。そして、ＤＲＡＭ１６のデータが読み出されて、液晶表示パネル１２に静止画が表示される。したがって、外部の装置及び表示装置１を含むシステム全体の消費電力を低減することができる。
【００９３】
（その他）
上記実施形態では、第２フレーム周波数Ｆ２をＦ２＝１５Ｈｚとしているが、他の値を用いてもよい。例えば、Ｆ２＝１２Ｈｚとしてもよい。この場合には、Ｋ＝Ｆ１／Ｆ２＝５となる。したがって、５回のゲート選択出力動作に対応して、５回のサブ画像生成動作を行うことにより、フレーム周波数Ｆ２でフレーム画像の表示が行われる。なお、Ｆ２＝１２Ｈｚの場合には、中間フレーム周波数として、第１フレーム周波数Ｆ１から中間フレーム周波数Ｆ３１＝３０Ｈｚに移行した後、さらに中間フレーム周波数Ｆ３２＝１５Ｈｚに移行し、その後に、第２フレーム周波数Ｆ２＝１２Ｈｚに移行するようにしてもよい。
【００９４】
あるいはまた、例えばＦ２＝１０Ｈｚとしてもよい。この場合には、Ｋ＝Ｆ１／Ｆ２＝６となる。したがって、６回のゲート選択出力動作に対応して、６回のサブ画像生成動作を行うことにより、フレーム周波数Ｆ２でフレーム画像の表示が行われる。なお、Ｆ２＝１０Ｈｚの場合には、中間フレーム周波数として、第１フレーム周波数Ｆ１から中間フレーム周波数Ｆ３１＝３０Ｈｚに移行した後、さらに中間フレーム周波数Ｆ３２＝１５Ｈｚに移行し、さらに中間フレーム周波数Ｆ３３＝１２Ｈｚに移行し、その後に、第２フレーム周波数Ｆ２＝１０Ｈｚに移行するようにしてもよい。
【００９５】
上記実施形態では、図４のセクション（Ｃ）に示されるように、例えばゲート信号線Ｇ１−Ｇ４からなるゲート群において、ゲート信号線Ｇ１，Ｇ３，Ｇ２，Ｇ４の順に、ゲート選択出力動作が行われている。言い換えると、ゲート群のなかでも、ゲート信号線の並び順と異なる順に、ゲート信号線が選択されている。しかし、ゲート信号線のなかでは、ゲート信号線の並び順にゲート信号線が選択されてもよい。すなわち、例えばゲート信号線Ｇ１−Ｇ４からなるゲート群において、ゲート信号線Ｇ１，Ｇ２，Ｇ３，Ｇ４の順に、ゲート選択出力動作が行われてもよい。
【００９６】
この変形形態では、例えば１回目のゲート選択出力動作では、ゲート信号線Ｇ１，Ｇ５，Ｇ９，Ｇ１３の順にゲート信号が出力され、例えば２回目のゲート選択出力動作では、ゲート信号線Ｇ２，Ｇ６，Ｇ１０，Ｇ１４の順にゲート信号が出力される。すなわち、この変形形態でも、ゲート信号は、ゲート信号線Ｇ１−Ｇ１６の並び順と異なる順に、出力されるので、上記実施形態と同様の効果を得ることができる。
【００９７】
上記実施形態では、図４のセクション（Ｃ）に示されるように、例えばゲート信号線Ｇ１−Ｇ４からなるゲート群において、ゲート信号線Ｇ１，Ｇ３，Ｇ２，Ｇ４の順に、ゲート選択出力動作が行われている。すなわち、ゲート群のなかでは、１回目のゲート選択出力動作では１番目のゲート信号線Ｇ１が選択され、４回目（Ｋ回目）のゲート選択出力動作では４番目（Ｋ番目）のゲート信号線Ｇ４が選択されて、並び順にゲート信号線が選択されている。また、ゲート群のなかでは、２回目のゲート選択出力動作では、３番目のゲート信号線Ｇ３が選択され、３回目のゲート選択出力動作では、２番目のゲート信号線Ｇ２が選択されて、並び順と異なる順にゲート信号線が選択されている。言い換えると、最初と最後のゲート選択出力動作では、並び順にゲート信号線が選択されている。したがって、ゲート選択出力動作の制御が理解しやすい構成になっているという利点がある。
【００９８】
上記実施形態では、外部から入力される待機モード信号がオンになると、通常モードから待機モードに切り替えている。しかし、待機モード信号に代えて、入力画像信号が静止画を表すか否かを判定する静止画判定部を備え、静止画判定の結果を用いて、通常モードから待機モードに切り替えるようにしてもよい。静止画判定部は、例えば、入力画像信号に基づき、異なるフレーム間で入力画像信号を画素ごとに比較して、入力画像信号が静止画を表すか動画を表すかを判定してもよい。この構成でも、上記実施形態と同様の効果を得ることができる。
【００９９】
また、上記表示装置１は、表示部として液晶表示パネル１２を備えているが、表示部は、液晶表示パネル１２に限られない。上記表示装置１は、例えば、表示部として電圧駆動の有機ＥＬ表示パネルを備えてもよい。電圧駆動の有機ＥＬ表示パネルは、電圧を印加後に、電圧が漏れて低下しやすいため、上記実施形態を適用することにより、画像の表示品位が過度に低下するのを好適に抑制することができる。つまり、表示部は、例えば、フレーム画像を表示する際のフレーム周波数を低下させると輝度が低下し易い表示部であればよい。
【産業上の利用可能性】
【０１００】
フレーム画像を表示する表示部を備える表示装置において、表示される画像の表示品位が過度に低下するのを抑制することを可能にする表示装置として有用である。
【符号の説明】
【０１０１】
１  表示装置
１１  制御部
１２  液晶表示パネル
１３  ゲート駆動部
１４  ソース駆動部
１５  バックライト部
１６  ＤＲＡＭ
Ｇ１〜Ｇｎ  ゲート信号線
Ｓ１〜Ｓｍ  ソース信号線
【図１】
2014153531.tif 000003
【図２】
2014153531.tif 000004
【図３】
2014153531.tif 000005
【図４】
2014153531.tif 000006
【図５】
2014153531.tif 000007
【図６】
2014153531.tif 000008
【図７】
2014153531.tif 000009
【図８】
2014153531.tif 000010
【図９】
2014153531.tif 000011
【図１０】
2014153531.tif 000012
【図１１】
2014153531.tif 000013
【図１２】
2014153531.tif 000014